(57)【特許請求の範囲】
【請求項１】
駆動対象を駆動する駆動アクチュエータに制御弁を通じて作動流体を供給するポンプ装置であって、
前記駆動アクチュエータに作動流体を供給し斜板の傾転角度に応じて吐出容量が変化する可変容量型の第１ポンプと、
供給される制御圧に応じて前記第１ポンプにおける前記斜板の傾転角度を制御する傾転アクチュエータと、
前記制御圧を前記制御弁の前後差圧に応じて調整するレギュレータと、
前記第１ポンプと共通の駆動源によって駆動される定容量型の第２ポンプと、
前記第２ポンプから吐出される作動流体が導かれるポンプ通路に設けられる抵抗器と、
前記抵抗器の前後差圧に応じて作動し前記抵抗器の前後差圧の上昇に応じて前記制御圧を低下させるように前記レギュレータを駆動する制御アクチュエータと、
前記抵抗器の上流側圧力及び下流側圧力の一方に抗するように前記制御アクチュエータに作用する補助圧を前記制御アクチュエータへ導く補助通路と、
前記補助通路を通じた前記制御アクチュエータへの前記補助圧の供給と遮断とを切り換える切換弁と、を備え、
前記補助通路は、前記ポンプ装置の外部から供給される前記補助圧を前記制御アクチュエータに導くように構成され、
前記切換弁は、前記補助通路に設けられることを特徴とするポンプ装置。
【請求項２】
駆動対象を駆動する駆動アクチュエータに制御弁を通じて作動流体を供給するポンプ装置であって、
前記駆動アクチュエータに作動流体を供給し斜板の傾転角度に応じて吐出容量が変化する可変容量型の第１ポンプと、
供給される制御圧に応じて前記第１ポンプにおける前記斜板の傾転角度を制御する傾転アクチュエータと、
前記制御圧を前記制御弁の前後差圧に応じて調整するレギュレータと、
前記第１ポンプと共通の駆動源によって駆動される定容量型の第２ポンプと、
前記第２ポンプから吐出される作動流体が導かれるポンプ通路に設けられる抵抗器と、
前記抵抗器の前後差圧に応じて作動し前記抵抗器の前後差圧の上昇に応じて前記制御圧を低下させるように前記レギュレータを駆動する制御アクチュエータと、
前記抵抗器の上流側圧力及び下流側圧力の一方に抗するように前記制御アクチュエータに作用する補助圧を前記制御アクチュエータへ導く補助通路と、
前記補助通路を通じた前記制御アクチュエータへの前記補助圧の供給と遮断とを切り換える切換弁と、を備え、
前記制御アクチュエータは、
シリンダと、
前記シリンダの内部を摺動自在に移動するピストンと、
前記ピストンに連結され前記レギュレータに連係するロッドと、を有し、
前記シリンダの内部には、前記抵抗器の前記上流側圧力が導かれる第１圧力室と、前記抵抗器の前記下流側圧力が導かれる第２圧力室と、前記補助通路から前記補助圧が導かれる第３圧力室と、が設けられることを特徴とするポンプ装置。
【請求項３】
前記傾転アクチュエータに供給される前記制御圧を前記第１ポンプの吐出圧に応じて変化させる馬力制御レギュレータをさらに備え、
前記レギュレータは、前記馬力制御レギュレータによって調整される制御元圧に応じて、前記傾転アクチュエータに供給される前記制御圧を調整することを特徴とする請求項１又は２に記載のポンプ装置。
【請求項４】
作業者の操作入力に応じて、前記切換弁を切り換えると共に前記駆動源の回転数を変更可能なコントローラをさらに備えることを特徴とする請求項１から３のいずれか一つに記載のポンプ装置。
【請求項５】
前記補助圧は、前記抵抗器の前記上流側圧力に抗するように前記制御アクチュエータに作用し、
前記コントローラは、作業者の操作入力に応じて、前記補助通路を遮断するように前記切換弁を切り換えると共に前記駆動源の回転数を低下させ、前記第１ポンプの吐出容量を増加させることを特徴とする請求項４に記載のポンプ装置。
【請求項６】
前記抵抗器は、前記第２ポンプから吐出される作動流体の流れに抵抗を付与する固定絞りと、前記固定絞りと並列に設けられ、前記抵抗器の前記上流側圧力が所定値を超えると開弁するリリーフ弁と、を有することを特徴とする請求項１から５のいずれか一つに記載のポンプ装置。
【発明の詳細な説明】
【技術分野】
【０００１】
本発明は、ポンプ装置に関するものである。
【背景技術】
【０００２】
特許文献１には、油圧駆動型のアクチュエータと、アクチュエータに圧油を供給する可変容量型の油圧ポンプと、を備える建機の油圧回路構造であって、アクチュエータの作業負荷に応じて油圧ポンプのポンプ吐出量を増減させる負荷制御を行うものが開示されている。
【先行技術文献】
【特許文献】
【０００３】
【特許文献１】特開平０６−３００００２号公報
【発明の概要】
【発明が解決しようとする課題】
【０００４】
特許文献１に開示されるような負荷制御（ロードセンシング制御）されるポンプ装置は、駆動アクチュエータの作業負荷に応じた吐出流量で作動流体を吐出することにより、作業負荷によらず制御弁の開度に応じて駆動アクチュエータの速度を制御することができる。
【０００５】
しかしながら、制御弁の開度が同一であっても、例えば、作業者が異なれば求められる駆動アクチュエータの速度、つまりポンプ装置からの供給流量が異なる場合がある。
【０００６】
このように、負荷制御されるポンプ装置においては、作業負荷が同一であっても、ポンプ装置からの供給流量（吐出流量）を任意に変更したいという要望があった。
【０００７】
本発明は、上記の問題点に鑑みてなされたものであり、負荷制御されるポンプ装置において、作業負荷によらず吐出流量を変更させることを目的とする。
【課題を解決するための手段】
【０００８】
第１の発明は、駆動対象を駆動する駆動アクチュエータに制御弁を通じて作動流体を供給するポンプ装置であって、駆動アクチュエータに作動流体を供給し斜板の傾転角度に応じて吐出容量が変化する可変容量型の第１ポンプと、供給される制御圧に応じて第１ポンプにおける斜板の傾転角度を制御する傾転アクチュエータと、制御圧を制御弁の前後差圧に応じて調整するレギュレータと、第１ポンプと共通の駆動源によって駆動される定容量型の第２ポンプと、第２ポンプから吐出される作動流体が導かれるポンプ通路に設けられる抵抗器と、抵抗器の前後差圧に応じて作動し抵抗器の前後差圧の上昇に応じて制御圧を低下させるようにレギュレータを駆動する制御アクチュエータと、抵抗器の上流側圧力及び下流側圧力の一方に抗するように制御アクチュエータに作用する補助圧を制御アクチュエータへ導く補助通路と、補助通路を通じた制御アクチュエータへの補助圧の供給と遮断とを切り換える切換弁と、を備え、補助通路は、ポンプ装置の外部から供給される補助圧を制御アクチュエータに導くように構成され、切換弁は、補助通路に設けられることを特徴とする。
第２の発明は、駆動対象を駆動する駆動アクチュエータに制御弁を通じて作動流体を供給するポンプ装置であって、駆動アクチュエータに作動流体を供給し斜板の傾転角度に応じて吐出容量が変化する可変容量型の第１ポンプと、供給される制御圧に応じて第１ポンプにおける前記斜板の傾転角度を制御する傾転アクチュエータと、制御圧を制御弁の前後差圧に応じて調整するレギュレータと、第１ポンプと共通の駆動源によって駆動される定容量型の第２ポンプと、第２ポンプから吐出される作動流体が導かれるポンプ通路に設けられる抵抗器と、抵抗器の前後差圧に応じて作動し抵抗器の前後差圧の上昇に応じて制御圧を低下させるようにレギュレータを駆動する制御アクチュエータと、抵抗器の上流側圧力及び下流側圧力の一方に抗するように制御アクチュエータに作用する補助圧を制御アクチュエータへ導く補助通路と、補助通路を通じた制御アクチュエータへの補助圧の供給と遮断とを切り換える切換弁と、を備え、制御アクチュエータは、シリンダと、シリンダの内部を摺動自在に移動するピストンと、ピストンに連結されレギュレータに連係するロッドと、を有し、シリンダの内部には、抵抗器の上流側圧力が導かれる第１圧力室と、抵抗器の下流側圧力が導かれる第２圧力室と、補助通路から補助圧が導かれる第３圧力室と、が設けられることを特徴とする。
【０００９】
第１及び第２の発明では、切換弁により補助通路の連通と遮断が切り換えられることにより、補助圧が制御アクチュエータに導かれるか否かが切り換えられる。制御アクチュエータへの補助圧の供給と遮断が切り換えられることにより、制御アクチュエータの移動量が変化して、制御アクチュエータによるレギュレータの駆動量が変化する。これにより、レギュレータによって調整される制御圧が変化する。このように、切換弁を切り換えることにより、作業負荷に関わらず制御圧を変化させて、傾転アクチュエータによる第１ポンプの傾転角度の制御量を変化させることができる。
【００１０】
第３の発明は、傾転アクチュエータに供給される制御圧を第１ポンプの吐出圧に応じて変化させる馬力制御レギュレータをさらに備え、レギュレータは、馬力制御レギュレータによって調整される制御元圧に応じて、傾転アクチュエータに供給される制御圧を調整することを特徴とする。
【００１１】
第３の発明では、馬力制御レギュレータは、第１ポンプの吐出圧が変化すると、レギュレータに導かれる制御元圧を調整することで、レギュレータが調整する制御圧を変化させる。よって、ポンプ回転数に関わらず、第１ポンプの負荷を、所定の範囲内となるように調整することができる。
【００１２】
第４の発明は、作業者の操作入力に応じて、切換弁を切り換えると共に駆動源の回転数を変更可能なコントローラをさらに備えることを特徴とする。
【００１３】
第４の発明によれば、作業者の所望のタイミングで切換弁が切り換えられるため、作業者のニーズに合わせて第１ポンプの傾転角度の制御量を変化させることができる。
【００１４】
第５の発明は、補助圧が、抵抗器の上流側圧力に抗するように制御アクチュエータに作用し、コントローラは、作業者の操作入力に応じて、補助通路を遮断するように切換弁を切り換えると共に駆動源の回転数を低下させ、第１ポンプの吐出容量を増加させることを特徴とする。
【００１５】
第５の発明では、駆動源の回転数の低下と共に第１ポンプの吐出容量が増加するため、第１ポンプの吐出流量（駆動アクチュエータへの供給流量）を低下させずに維持させることができる。
【００１６】
第６の発明は、抵抗器が、第２ポンプから吐出される作動流体の流れに抵抗を付与する固定絞りと、固定絞りと並列に設けられ、抵抗器の上流側の圧力が所定値を超えると開弁するリリーフ弁と、を有する。
【００１７】
第６の発明では、ポンプ回転数の上昇に伴い、抵抗器の上流側の圧力がリリーフ弁のリリーフ圧以上となると、リリーフ弁が開弁する。これにより、第２ポンプから吐出される作動油が固定絞りとリリーフ弁との両方を通過し、抵抗器の流路面積が拡大するため、ポンプ回転数の上昇に対して抵抗器の前後差圧が変化する割合が小さくなる。このように、抵抗器がリリーフ弁を有することにより、ポンプ回転数に対する第１ポンプの吐出流量が増加する割合を変更することができる。
【発明の効果】
【００１８】
本発明によれば、負荷制御されるポンプ装置において、作業負荷によらず吐出流量が変更される。
【図面の簡単な説明】
【００１９】
【図１】本発明の実施形態に係るポンプ装置を備える油圧駆動装置の油圧回路図である。
【図２】本発明の実施形態に係るポンプ装置における吐出流量制御を説明するための図であり、ポンプ回転数と吐出流量との関係を示すグラフ図である。
【発明を実施するための形態】
【００２０】
図面を参照して、本発明の実施形態に係るポンプ装置１００及びこれを備える油圧駆動装置１について説明する。
【００２１】
油圧駆動装置１は、例えば油圧ショベルに搭載され、駆動対象（ブーム，アーム，又はバケット等）を駆動する。油圧駆動装置１は、図１に示すように、作動流体としての作動油が給排されることにより駆動対象を駆動する駆動アクチュエータとしての油圧シリンダ２と、油圧シリンダ２に給排される作動油の流れを制御する制御弁３と、制御弁３を通じて油圧シリンダ２に作動油を供給する駆動油圧源としてのポンプ装置１００と、を備える。
【００２２】
油圧シリンダ２は、制御弁３を通じてポンプ装置１００から導かれる作動油によって伸縮作動して、駆動対象を駆動する。制御弁３は、作業者の操作に応じて開度が調整され、油圧シリンダ２に供給される作動油の流量を調整する。図１では、単一の油圧シリンダ２及びこれを制御する制御弁３のみを図示し、その他の駆動アクチュエータ及び制御弁は図示を省略する。
【００２３】
ポンプ装置１００から吐出される作動油は、吐出通路２１を通じてポンプポート３１に送られ、ポンプポート３１に接続する制御弁３によって油圧シリンダ２に導かれる。
【００２４】
ポンプ装置１００は、油圧シリンダ２に作動油を供給し斜板１１の傾転角度に応じて吐出容量が変化する可変容量型の第１ポンプ１０と、供給される制御圧Ｐｃｇに応じて第１ポンプ１０における斜板１１の傾転角度を制御する傾転アクチュエータ１５と、傾転アクチュエータ１５に導かれる制御圧Ｐｃｇを制御弁３の前後差圧に応じて調整するレギュレータ（ロードセンシングレギュレータ）６０と、レギュレータ６０に導かれる制御元圧Ｐｃを第１ポンプ１０の吐出圧Ｐ１に応じて調整する馬力制御レギュレータ４０と、を備える。
【００２５】
第１ポンプ１０は、例えば斜板式ピストンポンプが用いられ、斜板１１の傾転角度に応じて吐出容量（ポンプ押しのけ容積）が調整される。なお、「吐出容量」とは、第１ポンプ１０の１回転当たりの作動油の吐出量のことをいう。また、後述する「吐出流量」とは、第１ポンプ１０や後述の第２ポンプ１６における単位時間当たりの作動油の吐出量のことをいう。
【００２６】
第１ポンプ１０は、駆動源としてのエンジン４によって駆動される。第１ポンプ１０は、タンク（図示省略）に接続するタンクポート３０から吸込通路２０を通じて作動油を吸込み、斜板１１に追従して往復動するピストン（図示省略）によって加圧した作動油を吐出通路２１に吐出する。第１ポンプ１０から吐出された作動油は、制御弁３を通じて油圧シリンダ２に供給される。また、第１ポンプ１０から吐出された作動油の一部は、吐出通路２１から分岐する分岐通路５０に導かれる。分岐通路５０は、第１〜第３吐出圧通路５１，５２，５３に分岐して、それぞれに第１ポンプ１０の吐出圧Ｐ１を導く。
【００２７】
第１ポンプ１０は、エンジン４によって回転駆動されるシリンダブロック（図示省略）と、シリンダブロックのシリンダ内を往復動して吸い込んだ作動油を吐出するピストンと、ピストンが追従する斜板１１と、斜板１１を傾転角度が大きくなる方向に付勢する馬力制御スプリング４８，４９と、を備える。
【００２８】
傾転アクチュエータ１５は、第１ポンプ１０の馬力制御スプリング４８，４９の付勢力に抗して斜板１１を駆動する。傾転アクチュエータ１５の作動によって斜板１１の傾転角度が変えられると、斜板１１に追従して往復動するピストンのストローク長さが変わり、第１ポンプ１０の吐出容量が変化する。傾転アクチュエータ１５は、第１ポンプ１０のシリンダブロックに内蔵されるものでもよいし、シリンダブロックの外部に設けられるものでもよい。
【００２９】
傾転アクチュエータ１５は、馬力制御レギュレータ４０及びレギュレータ６０によって調整される制御圧Ｐｃｇが上昇すると伸長作動して斜板１１の傾転角度を小さくし、第１ポンプ１０の吐出容量を減少させる。
【００３０】
馬力制御レギュレータ４０は、３ポート２位置の切換弁である。馬力制御レギュレータ４０の一方側のポートには、レギュレータ６０に接続される第１制御圧通路５５が接続される。馬力制御レギュレータ４０の他方側の２つのポートには、第１ポンプ１０の吐出圧Ｐ１が導かれる第１吐出圧通路５１と、タンクに接続される低圧通路５９と、がそれぞれ接続される。
【００３１】
馬力制御レギュレータ４０は、第１制御圧通路５５と第１吐出圧通路５１とを連通する高圧ポジション４０Ａと、第１制御圧通路５５と低圧通路５９とを連通する低圧ポジション４０Ｂと、の間で連続的に移動するスプール（図示省略）を備える。馬力制御レギュレータ４０のスプールの一端には、馬力制御スプリング４８，４９の付勢力が付与される。このスプールの他端には、第２吐出圧通路５２を通じて導かれる第１ポンプ１０の吐出圧Ｐ１が作用する。馬力制御レギュレータ４０のスプールは、吐出圧Ｐ１と馬力制御スプリング４８，４９の付勢力とが釣り合う位置に移動し、高圧ポジション４０Ａ及び低圧ポジション４０Ｂの開度を変化させる。
【００３２】
馬力制御スプリング４８，４９は、一端が馬力制御レギュレータ４０のスプールに連結され、他端が第１ポンプ１０の斜板１１に連係する。馬力制御スプリング４９の長さは馬力制御スプリング４８より短く形成される。馬力制御スプリング４８，４９による付勢力は、斜板１１の傾転角及び馬力制御レギュレータ４０のスプールの位置に応じて変化する。よって、馬力制御スプリング４８、４９から斜板１１に作用する付勢力は、斜板１１の傾転角度及び馬力制御レギュレータ４０のスプールのストロークに応じて段階的に高められる。
【００３３】
馬力制御レギュレータ４０には、馬力制御アクチュエータ４１が設けられる。馬力制御アクチュエータ４１は馬力制御信号圧ポート３６から馬力制御信号圧通路４６を通じて導かれる馬力制御信号圧Ｐｐｗに応動する。
【００３４】
油圧ショベルの制御系は、高負荷モードと、低負荷モードと、に切り換えられる。馬力制御信号圧Ｐｐｗは、高負荷モードで低くされる一方、低負荷モードで高められる。低負荷モードで馬力制御信号圧Ｐｐｗが高められると、馬力制御レギュレータ４０のスプールは高圧ポジション４０Ａに切り換わる方向に移動する。このため、制御元圧Ｐｃが上昇し、第１ポンプ１０の負荷が低くなる。
【００３５】
レギュレータ６０は、３ポート２位置の切換弁である。レギュレータ６０の一方側の２つのポートには、それぞれ第１ポンプ１０の吐出圧Ｐ１が導かれる第３吐出圧通路５３と、馬力制御レギュレータ４０に接続される第１制御圧通路５５と、が接続される。レギュレータ６０の他方側のポートには、傾転アクチュエータ１５に制御圧Ｐｃｇを導く第２制御圧通路５６が接続される。第２制御圧通路５６には、絞り５７が介装され、絞り５７によって、傾転アクチュエータ１５に導かれる制御圧Ｐｃｇの圧力変動が緩和される。また、第３吐出圧通路５３には、絞り５４が介装され、絞り５４によって、レギュレータ６０に導かれる吐出圧Ｐ１の圧力変動が緩和される。
【００３６】
レギュレータ６０は、第１制御圧通路５５と第２制御圧通路５６とを連通する第１ポジション６０Ａと、第３吐出圧通路５３と第２制御圧通路５６とを連通する第２ポジション６０Ｂと、の間で連続的に移動するスプール（図示省略）を備える。
【００３７】
レギュレータ６０のスプールの一端には、第１ポンプ１０の吐出圧Ｐ１に基づいて制御弁３の上流側に生じる上流信号圧Ｐｐｓが信号ポート３３から第１信号通路４３を通じて導かれる。レギュレータ６０のスプールの他端には、油圧シリンダ２の負荷圧に基づいて制御弁３の下流側に生じる下流信号圧Ｐｌｓが信号ポート３４から第２信号通路４４を通じて導かれる。また、レギュレータ６０のスプールの他端には、レギュレータ６０を第１ポジション６０Ａに切り換える方向に付勢するＬＳスプリング１４の付勢力が与えられる。
【００３８】
ポンプ装置１００は、第１ポンプ１０と共通の駆動源によって駆動される定容量型の第２ポンプ１６と、第２ポンプ１６から吐出される作動油を導くポンプ通路２４に介装される抵抗器６５と、抵抗器６５の前後差圧（Ｐ３−Ｐ４）に応じてレギュレータ６０を駆動して制御圧Ｐｃｇを調整する制御アクチュエータ７０と、抵抗器６５の上流側の圧力Ｐ３に抗するように作用する補助圧Ｐｏを制御アクチュエータ７０に導く補助通路８３と、補助通路８３に設けられ補助通路８３の連通と遮断とを選択的に切り換える切換弁８０と、作業者の操作入力に応じて切換弁８０を切り換えるコントローラ８５と、をさらに備える。
【００３９】
第２ポンプ１６は、第１ポンプ１０と並んで設けられ、第１ポンプ１０と共にエンジン４によって駆動される。第２ポンプ１６には、例えば、ギアポンプが用いられる。
【００４０】
第２ポンプ１６は、吸込通路２０から分岐した分岐吸込通路２３を通じて作動油を吸込み、加圧した作動油をポンプ通路２４に吐出する。第２ポンプ１６から吐出される作動油は、ポンプ通路２４を通じてポンプポート３２に送られ、ポンプポート３２に接続する通路（図示省略）を通じて制御弁３を切り換える油圧駆動部等に供給される。
【００４１】
抵抗器６５は、ポンプ通路２４に互いに並列に介装される固定絞り６６及びリリーフ弁６７を備える。抵抗器６５の上流側の圧力Ｐ３が所定値（リリーフ圧）を超えると、リリーフ弁６７が開弁し、第２ポンプ１６から吐出される作動油が、固定絞り６６及びリリーフ弁６７の両方を通過する。
【００４２】
制御アクチュエータ７０は、シリンダ７１と、シリンダ７１の内部を摺動自在に移動するピストン７５と、ピストン７５に連結されレギュレータ６０に連係するロッド７６と、を有する。
【００４３】
シリンダ７１は、第１シリンダ部７１Ａと、第１シリンダ部７１Ａの内径よりも小さい内径を有する第２シリンダ部７１Ｂと、第１シリンダ部７１Ａと第２シリンダ部７１Ｂとの間に形成される環状の段差部７１Ｃと、を有する。
【００４４】
ピストン７５は、第１シリンダ部７１Ａに摺動自在に挿入される第１ピストン部７５Ａと、第１ピストン部７５Ａに接続されると共にロッド７６が連結されて、第２シリンダ部７１Ｂに摺動自在に挿入される第２ピストン部７５Ｂと、を有する。
【００４５】
シリンダ７１の内部は、ピストン７５によって、第１ピストン部７５Ａと第１シリンダ部７１Ａの底部との間に形成される第１圧力室７２と、ロッド７６の外周であって第２ピストン部７５Ｂと第２シリンダ部７１Ｂの底部との間に形成される第２圧力室７３と、第１ピストン部７５Ａとシリンダ７１の段差部７１Ｃとの間に形成される第３圧力室７４と、に仕切られる。
【００４６】
第１圧力室７２には、上流圧通路９４を通じて抵抗器６５の上流側の圧力（以下、「上流圧」と称する。）Ｐ３が導かれる。第１圧力室７２に導かれる上流圧Ｐ３は、ピストン７５の第１ピストン部７５Ａに作用して、レギュレータ６０が第１ポジション６０Ａに切り換わる方向（図１中右方向）へロッド７６を移動させる駆動力を発揮する。
【００４７】
第２圧力室７３には、下流圧通路９５を通じて抵抗器６５の下流側の圧力（以下、「下流圧」と称する。）Ｐ４が導かれる。第２圧力室７３に導かれる下流圧Ｐ４は、ピストン７５の第２ピストン部７５Ｂに作用して、レギュレータ６０が第２ポジション６０Ｂに切り換わる方向（図１中左方向）へロッド７６を移動させる駆動力を発揮する。
【００４８】
補助通路８３は、第３圧力室７４に連通し、ポンプ装置１００の外部から供給される補助圧Ｐｏを第３圧力室７４に導く。補助圧Ｐｏは、例えば、第２ポンプ１６から吐出される作動油をポンプ装置１００の外部にある調整機構によって圧力調整することで生成される。
【００４９】
第３圧力室７４に導かれる補助圧Ｐｏは、上流圧Ｐ３に抗するように上流圧Ｐ３とは反対側からピストン７５の第１ピストン部７５Ａに作用して、ロッド７６を図中左方向へ移動させる駆動力を発揮する。このように、制御アクチュエータ７０には、互いに反対方向へ作用する抵抗器６５の上流圧Ｐ３と下流圧Ｐ４、言い換えれば、抵抗器６５の前後差圧（Ｐ３−Ｐ４）が作用することに加え、上流圧Ｐ３に抗するように補助圧Ｐｏが作用する。
【００５０】
切換弁８０は、２ポート２位置の電磁切換弁（ＯＮ−ＯＦＦ弁）である。切換弁８０は、補助通路８３を連通して第３圧力室７４に補助圧Ｐｏを供給する連通ポジション８０Ａと、補助通路８３を通じた第３圧力室７４への補助圧Ｐｏの供給を遮断する遮断ポジション８０Ｂと、を有する。遮断ポジション８０Ｂでは、第３圧力室７４は、タンクに連通する。切換弁８０は、連通ポジション８０Ａと遮断ポジション８０Ｂとを選択的に切り換えるスプール（図示省略）と、遮断ポジション８０Ｂをとるようにスプールを付勢する付勢ばね８１と、通電によって付勢ばね８１の付勢力に抗する駆動力を発揮するソレノイド８２と、を有する。
【００５１】
切換弁８０は、レギュレータ６０とは、別体として設けられる。これにより、レギュレータ６０に対する切換弁８０及び補助通路８３のレイアウトの自由度を向上させることができる。また、切換弁８０のレイアウトの自由度が向上するため、ソレノイド８２が鉛直方向に沿って配置されることで重力によりソレノイド８２の駆動力が低下することを防止することができる。
【００５２】
コントローラ８５からソレノイド８２に電流が供給されると、切換弁８０は、連通ポジション８０Ａとなり、補助通路８３を開放する。これにより、補助圧Ｐｏが補助通路８３を通じて制御アクチュエータ７０の第３圧力室７４に導かれる。
【００５３】
反対に、コントローラ８５からソレノイド８２への通電が遮断された状態では、切換弁８０は、付勢ばね８１の付勢力によって遮断ポジション８０Ｂとなり、補助通路８３を遮断する。これにより、第３圧力室７４への補助圧Ｐｏの供給は遮断され、第３圧力室７４はタンクに連通してタンク圧となる。
【００５４】
制御アクチュエータ７０は、抵抗器６５の前後差圧（Ｐ３−Ｐ４）に加えて補助通路８３から導かれる補助圧Ｐｏが選択的に導かれ、スプールが抵抗器６５の前後差圧（Ｐ３−Ｐ４）と補助圧Ｐｏとが釣り合う位置に移動することにより、レギュレータ６０に駆動力を付与する。言い換えれば、レギュレータ６０のスプールには、制御弁３の前後に生じるＬＳ差圧（Ｐｐｓ−Ｐｌｓ）及びスプールの他端に作用するＬＳスプリング１４の付勢力に加え、制御アクチュエータ７０から付与される駆動力として、抵抗器６５の前後差圧（Ｐ３−Ｐ４）及び補助圧Ｐｏが作用する。よって、レギュレータ６０のスプールは、これらのＬＳ差圧（Ｐｐｓ−Ｐｌｓ）、抵抗器６５の前後差圧（Ｐ３−Ｐ４）、補助圧Ｐｏ、ＬＳスプリング１４の付勢力が釣り合う位置に移動して、レギュレータ６０の第１ポジション６０Ａ及び第２ポジション６０Ｂの開度を変化させる。
【００５５】
次に、図１及び図２を参照して、ポンプ装置１００の作用について説明する。
【００５６】
ポンプ装置１００では、馬力制御レギュレータ４０によって第１ポンプ１０の吐出圧Ｐ１を一定に保つように第１ポンプ１０の吐出容量を制御する馬力制御と、レギュレータ６０によって制御弁３の前後差圧（ＬＳ差圧）を一定に保つように第１ポンプ１０の吐出容量を制御する負荷制御（ＬＳ制御）と、ポンプ回転数（エンジン回転数）に応じて第１ポンプ１０の吐出容量を制御する吐出流量制御と、が行われる。
【００５７】
ポンプ装置１００では、レギュレータ６０が、馬力制御レギュレータ４０によって調整される制御元圧Ｐｃに応じて制御圧Ｐｃｇを調整する。これにより、第１ポンプ１０の吐出圧Ｐ１が一定範囲内に保たれた状態では、馬力制御されず負荷制御によって第１ポンプ１０の吐出容量が制御される。吐出圧Ｐ１が一定範囲を超えた場合には、馬力制御によって第１ポンプ１０の吐出容量が制御される。よって、馬力制御によって第１ポンプ１０の吐出圧Ｐ１を一定範囲内に保つように第１ポンプ１０の吐出容量を制御しつつ、負荷制御によって制御弁３のＬＳ差圧を一定に保つように第１ポンプ１０の吐出容量も制御することができる。
【００５８】
以下、各制御について具体的に説明する。
【００５９】
まず、馬力制御レギュレータ４０による馬力制御について説明する。
【００６０】
ポンプ回転数の上昇に伴い第１ポンプ１０の吐出圧Ｐ１が上昇し、馬力制御レギュレータ４０のスプールが受ける吐出圧Ｐ１による駆動力が馬力制御スプリング４８，４９の付勢力より大きくなると、スプールは、高圧ポジション４０Ａに切り換わる方向（図１中右方向）に移動する。これにより、第１制御圧通路５５と第１吐出圧通路５１との連通開度（連通流路面積）が増加するため、第１吐出圧通路５１を通じて導かれる第１ポンプ１０の吐出圧Ｐ１によって第１制御圧通路５５の制御元圧Ｐｃが上昇する。レギュレータ６０に導かれる制御元圧Ｐｃの上昇に伴い、レギュレータ６０によって調整される制御圧Ｐｃｇが上昇するため、傾転アクチュエータ１５は第１ポンプ１０の斜板１１を傾転角度が小さくなるように駆動する。したがって、第１ポンプ１０の吐出圧Ｐ１が上昇すると、第１ポンプ１０の吐出容量が減少する。
【００６１】
反対に、ポンプ回転数の低下に伴い第１ポンプ１０の吐出圧Ｐ１が低下して、馬力制御レギュレータ４０のスプールが受ける吐出圧Ｐ１による駆動力が馬力制御スプリング４８，４９の付勢力より小さくなると、スプールは、低圧ポジション４０Ｂに切り換わる方向（図１中左方向）に移動する。これにより、第１制御圧通路５５と低圧通路５９との連通開度が増加するため、タンクに連通する低圧通路５９の圧力によって第１制御圧通路５５の制御元圧Ｐｃが低下する。よって、レギュレータ６０によって調整される制御圧Ｐｃｇも低下し、馬力制御スプリング４８，４９の付勢力によって斜板１１の傾転角度が大きくなる。したがって、第１ポンプ１０の吐出圧Ｐ１が低下すると、第１ポンプ１０の吐出容量が増加する。
【００６２】
以上のように、馬力制御レギュレータ４０は、吐出圧Ｐ１による駆動力と馬力制御スプリング４８，４９の付勢力とが釣り合うように、レギュレータ６０に導かれる制御元圧Ｐｃを調整する。馬力制御レギュレータ４０は、ポンプ回転数の上昇による吐出圧Ｐ１の上昇に伴い制御元圧Ｐｃを上昇させて、制御圧Ｐｃｇを上昇させるように作動し、第１ポンプ１０の吐出容量を減少させる。また、馬力制御レギュレータ４０は、ポンプ回転数の低下による吐出圧Ｐ１の低下に伴い制御元圧Ｐｃを低下させて、制御圧Ｐｃｇを低下させるように作動し、第１ポンプ１０の吐出容量を増加させる。つまり、馬力制御レギュレータ４０は、ポンプ回転数が変化した場合であっても、ポンプ回転数の変化に伴う第１ポンプ１０の吐出流量（供給流量）の変化を打ち消すように第１ポンプ１０の吐出容量を増減させる。よって、第１ポンプ１０の負荷（仕事率）が、ポンプ回転数に関わらず、略一定となるように調整される。
【００６３】
次に、レギュレータ６０による負荷制御について説明する。
【００６４】
油圧シリンダ２の負荷が大きい場合には、制御弁３の下流側（負荷側）から信号ポート３４に導かれる下流信号圧（負荷圧）Ｐｌｓが上昇する。下流信号圧Ｐｌｓが上昇したことによりＬＳ差圧（Ｐｐｓ−Ｐｌｓ）が小さくなると、レギュレータ６０のスプールはＬＳスプリング１４の付勢力によって第１ポジション６０Ａに切り換わる方向へ移動する。
【００６５】
レギュレータ６０のスプールが第１ポジション６０Ａに切り換わる方向へ移動すると、第１制御圧通路５５と第２制御圧通路５６との連通開度が増加する。このため、傾転アクチュエータ１５に導かれる制御圧Ｐｃｇは、馬力制御レギュレータ４０によって調整され第１ポンプ１０の吐出圧Ｐ１よりも低い制御元圧Ｐｃに基づき低下する。よって、傾転アクチュエータ１５は、斜板１１の傾転角度が大きくなる方向（図１中左方向）へ移動し、第１ポンプ１０の吐出容量は増加する。第１ポンプ１０の吐出容量が増加すると、第１ポンプ１０の吐出流量（供給流量）も増加するため、制御弁３のＬＳ差圧（Ｐｐｓ−Ｐｌｓ）が大きくなる。
【００６６】
反対に、油圧シリンダ２の負荷が小さい場合には、下流信号圧（負荷圧）Ｐｌｓが低くなる。下流信号圧Ｐｌｓが低くなることによりＬＳ差圧（Ｐｐｓ−Ｐｌｓ）が大きくなると、レギュレータ６０のスプールはＬＳスプリング１４の付勢力に抗して第２ポジション６０Ｂに切り換わる方向に移動する。
【００６７】
レギュレータ６０のスプールが第２ポジション６０Ｂに切り換わる方向へ移動すると、第３吐出圧通路５３と第２制御圧通路５６との連通開度が増加する。このため、制御圧Ｐｃｇは、第３吐出圧通路５３を通じて導かれる第１ポンプ１０の吐出圧Ｐ１に基づき上昇する。よって、傾転アクチュエータ１５は、斜板１１の傾転角度が小さくなる方向（図１中右方向）へ移動し、第１ポンプ１０の吐出容量は減少する。第１ポンプ１０の吐出容量が減少すると、第１ポンプ１０の吐出流量（供給流量）も減少するため、制御弁３のＬＳ差圧（Ｐｐｓ−Ｐｌｓ）が小さくなる。
【００６８】
このようにレギュレータ６０は、ＬＳ差圧（Ｐｐｓ−Ｐｌｓ）とＬＳスプリング１４の付勢力とが釣り合うように傾転アクチュエータ１５に導かれる制御圧Ｐｃｇを調整する。レギュレータ６０は、ＬＳ差圧（Ｐｐｓ−Ｐｌｓ）が小さくなると、制御圧Ｐｃｇを低下させることで第１ポンプ１０の吐出容量を増加させて、ＬＳ差圧（Ｐｐｓ−Ｐｌｓ）が大きくなるように作動する。また、レギュレータ６０は、ＬＳ差圧（Ｐｐｓ−Ｐｌｓ）が大きくなると、制御圧Ｐｃｇを上昇させて第１ポンプ１０の吐出容量を低下させ、ＬＳ差圧（Ｐｐｓ−Ｐｌｓ）が小さくなるように作動する。つまり、レギュレータ６０によって、油圧シリンダ２の負荷が増減してもＬＳ差圧（Ｐｐｓ−Ｐｌｓ）が略一定になるように第１ポンプ１０の吐出容量が制御される。
【００６９】
したがって、制御弁３の開度（ポジション）が同一であれば、作業負荷によらず同一の速度で油圧シリンダ２を駆動することができ、油圧シリンダ２の制御性を向上させることができる。言い換えれば、油圧シリンダ２の駆動速度（供給流量）は、制御弁３の開度（ポジション）のみによって制御することができ、作業負荷の変動による油圧シリンダ２の速度変化を防止することができる。
【００７０】
次に、ポンプ回転数に基づく吐出流量制御について説明する。
【００７１】
吐出流量制御は、第２ポンプ１６から吐出される作動油が導かれる抵抗器６５の前後差圧（Ｐ３−Ｐ４）に応じて制御アクチュエータ７０によりレギュレータ６０を駆動することによって行われる。
【００７２】
まず、ポンプ回転数（エンジン回転数）が所定のポンプ回転数Ｎ１（図２参照）より小さく、抵抗器６５の上流圧Ｐ３がリリーフ弁６７のリリーフ圧より低い状態（リリーフ弁６７の閉弁状態）について説明する。
【００７３】
ポンプ回転数（エンジン回転数）が低下すると、第２ポンプ１６の吐出流量が減少して、抵抗器６５の前後差圧（Ｐ３−Ｐ４）が低下する。リリーフ弁６７が閉弁状態である場合において、ポンプ回転数の低下によって、制御アクチュエータ７０に作用する力が釣り合った状態から抵抗器６５の前後差圧（Ｐ３−Ｐ４）が低下すると、つまり抵抗器６５の下流圧Ｐ４が相対的に大きくなると、制御アクチュエータ７０は、レギュレータ６０が第２ポジション６０Ｂに切り換わる方向（図１中左方向）へ移動する。これにより、第３吐出圧通路５３と第２制御圧通路５６との連通開度が増加するため、第３吐出圧通路５３を通じて導かれる第１ポンプ１０の吐出圧Ｐ１に基づき制御圧Ｐｃｇは上昇する。したがって、傾転アクチュエータ１５は、傾転角度が減少するように第１ポンプ１０の斜板１１を駆動し、第１ポンプ１０の吐出容量が減少する。
【００７４】
反対に、ポンプ回転数の上昇に伴い第２ポンプ１６の吐出流量が増加すると、抵抗器６５の前後差圧（Ｐ３−Ｐ４）が上昇する。制御アクチュエータ７０に作用する力が釣り合った状態から抵抗器６５の前後差圧（Ｐ３−Ｐ４）が上昇すると、つまり上流圧Ｐ３が相対的に大きくなると、制御アクチュエータ７０は、第１ポジション６０Ａに切り換わる方向（図１中右方向）へレギュレータ６０のスプールを駆動する。これにより、第１制御圧通路５５と第２制御圧通路５６との連通開度が増加するため、傾転アクチュエータ１５に導かれる制御圧Ｐｃｇは、馬力制御レギュレータ４０によって調整される制御元圧Ｐｃに基づき低下する。したがって、傾転アクチュエータ１５は、傾転角度が増加するように第１ポンプ１０の斜板１１を駆動し、第１ポンプ１０の吐出容量が増加する。
【００７５】
以上のように、リリーフ弁６７が開弁していない状態では、第１ポンプ１０の吐出流量は、図２に示すように、エンジン回転数の上昇に比例して増加するように制御される。
【００７６】
ポンプ回転数の上昇に伴う第２ポンプ１６の吐出圧の上昇によって、抵抗器６５の上流圧Ｐ３がリリーフ弁６７のリリーフ圧以上となると、固定絞り６６と並列に設けられるリリーフ弁６７が開弁する。これにより、第２ポンプ１６から吐出される作動油が固定絞り６６とリリーフ弁６７との両方を通過する。よって、抵抗器６５の流路面積が拡大して作動油の流れに付与される抵抗が小さくなり、ポンプ回転数の上昇に対して抵抗器６５の前後差圧が変化する割合が小さくなる。
【００７７】
ポンプ回転数の上昇に対する抵抗器６５の前後差圧の変化割合が小さくなると、ポンプ回転数の上昇に対する第１ポンプ１０の吐出流量が増加する割合（ゲイン）も小さくなる。したがって、例えば、図２に示すように、リリーフ弁６７が開弁するポンプ回転数Ｎ１からさらにポンプ回転数が上昇しても、第１ポンプ１０の吐出流量が増加せず略一定とすることができる。このように、抵抗器６５がリリーフ弁６７を有することにより、第１ポンプ１０の吐出流量が増加する割合を変更することができる。
【００７８】
次に、補助通路８３及び切換弁８０の作用について説明する。以下の説明では、切換弁８０が連通ポジション８０Ａであって補助通路８３を通じて制御アクチュエータ７０の第３圧力室７４に補助圧Ｐｏが導かれている状態を「補助圧供給状態」、反対に切換弁８０が遮断ポジション８０Ｂであって第３圧力室７４に補助圧Ｐｏが導かれていない状態を「補助圧遮断状態」と称する。
【００７９】
補助通路８３を通じて導かれる補助圧Ｐｏは、制御アクチュエータ７０の第３圧力室７４に供給され、抵抗器６５の上流圧Ｐ３に抗するような駆動力を制御アクチュエータ７０のピストン７５及びロッド７６に対して発揮する。つまり、補助圧Ｐｏは、抵抗器６５の下流圧Ｐ４を補うように制御アクチュエータ７０のピストン７５及びロッド７６に作用し、見掛け上、抵抗器６５の前後差圧（Ｐ３−Ｐ４）が小さくなるように作用する。よって、補助圧供給状態では、補助圧遮断状態と比較して、制御アクチュエータ７０のロッド７６が収縮方向に位置し、レギュレータ６０では、第２ポジション６０Ｂの開度が大きくなる。したがって、制御アクチュエータ７０に補助圧Ｐｏが導かれると、レギュレータ６０の第２ポジション６０Ｂで連通する第３吐出圧通路５３と第２制御圧通路５６との連通開度が大きくなる。
【００８０】
このため、補助圧供給状態では、傾転アクチュエータ１５に導かれる制御圧Ｐｃｇが上昇し、図２に示すように、ポンプ回転数が同じである時の補助圧遮断状態と比較して、第１ポンプ１０の吐出流量は小さくなる。反対に、補助圧遮断状態では、補助圧供給状態よりも制御圧Ｐｃｇが低下するため、第１ポンプ１０の吐出流量が大きくなる。
【００８１】
ポンプ装置１００では、作業者により操作スイッチ（図示省略）が押され、コントローラ８５が操作入力を検知すると、コントローラ８５からソレノイド８２へ電流が供給又は遮断されて切換弁８０のポジションが切り換えられる。これにより、補助圧Ｐｏを制御アクチュエータ７０に導くか否かが切り換えられる。
【００８２】
ここで、上述のように、負荷制御されるポンプ装置１００は、制御弁３のＬＳ差圧（油圧シリンダ２の作業負荷）に応じて第１ポンプ１０の吐出容量を制御するため、油圧シリンダ２は、作業負荷によらず制御弁３の開度のみによって速度が制御される。つまり、ポンプ回転数（エンジン回転数）及び作業負荷が一定である場合には、ポンプ装置１００の第１ポンプ１０の吐出容量も一定である。
【００８３】
油圧ショベルにおいては、例えば、操縦する作業者の熟練度等に応じて、求められる油圧シリンダ２の速度が異なる場合がある。例えば、比較的熟練度が低い作業者では、熟練度が高い作業者と比較して、同一の作業負荷であっても、比較的遅い駆動速度が求められることがある。
【００８４】
これに対し、ポンプ装置１００では、切換弁８０の切り換えによって制御アクチュエータ７０に補助圧Ｐｏを導くか、または遮断するかを切り換えることによって、同一の作業負荷及びポンプ回転数であっても、第１ポンプ１０の吐出容量を変更することができる。
【００８５】
具体的には、油圧シリンダ２を比較的遅く駆動させたい場合には、切換弁８０を連通ポジション８０Ａに切り換えて制御アクチュエータ７０に補助圧Ｐｏを導くことで、第１ポンプ１０の吐出容量を比較的小さくできる。これにより、油圧シリンダ２への作動油の供給流量が減少し、油圧シリンダ２を比較的遅く駆動することができる。
【００８６】
反対に、油圧シリンダ２を比較的速く駆動させたい場合には、切換弁８０を遮断ポジション８０Ｂに切り換えて制御アクチュエータ７０への補助圧Ｐｏの供給を遮断することで、第１ポンプ１０の吐出容量を比較的大きくできる。これにより、油圧シリンダ２への作動油の供給流量が増加し、油圧シリンダ２を比較的速く駆動することができる。
【００８７】
このように、切換弁８０を切り換えることにより、作業負荷に関わらず制御圧Ｐｃｇを変化させて、傾転アクチュエータ１５による第１ポンプ１０の傾転角度の制御量を変化させることができる。したがって、負荷制御されるポンプ装置１００において、作業負荷によらず吐出流量を変更して、ニーズに合わせた油圧シリンダ２の駆動速度を実現することができる。
【００８８】
次に、本実施形態の変形例について説明する。
【００８９】
上記実施形態では、作業者の操作入力に応じて、コントローラ８５により切換弁８０のポジションが切り換えられる。これに対し、作業者の操作入力に応じて、コントローラ８５により切換弁８０のポジションを切り換えると共にエンジン４の回転数を変更するように構成してもよい。
【００９０】
具体的に説明すると、コントローラ８５は、作業者の操作入力に基づき、切換弁８０の切り換えに合わせてエンジン回転数を変化させることで、ポンプ装置１００の作動を「通常モード」と「省エネモード」の２つの制御状態の間で切り換える。
【００９１】
通常モードは、エンジン回転数を相対的に高い状態で維持するものであり、切換弁８０は連通ポジション８０Ａに切り換えられる。この際のポンプ回転数を、例えば、第１回転数Ｎ１とする（図２参照）。通常モードでは、補助圧Ｐｏが制御アクチュエータ７０に導かれ、第１ポンプ１０の吐出容量は、相対的に小さい状態にされる。
【００９２】
省エネモードは、コントローラ８５によってエンジン回転数が通常モードと比較して低い状態（この際のポンプ回転数を「第２回転数Ｎ２」とする。）に維持されると共に、切換弁８０が遮断ポジション８０Ｂに切り換えられて制御アクチュエータ７０への補助圧Ｐｏの供給が遮断される。このため、省エネモードでは、制御アクチュエータ７０への補助圧Ｐｏの供給が遮断されて第１ポンプ１０の吐出容量が相対的に高い状態となり、エンジン回転数を低下させることによる第１ポンプ１０の吐出流量の低下が打ち消される。これにより、油圧シリンダ２への供給流量は、通常モードと同程度の流量を維持することができる。つまり、通常モードから省エネモードに切り替えても、ポンプ回転数が第１回転数Ｎ１から第２回転数Ｎ２へ低下する一方、第１ポンプ１０の吐出容量が増加するため、第１ポンプ１０の吐出流量は変わらない。
【００９３】
よって、図２に示すように、省エネモードでは、通常モードよりも低いポンプ回転数にもかかわらず通常モードと同じ吐出流量（供給流量）を確保することができ、通常モードと同等の駆動速度を実現できる。したがって、ポンプ装置１００の消費エネルギーを抑制することができる。
【００９４】
反対に、通常モードでは、ポンプ回転数に対する吐出流量の変化の割合が、省エネモードと比較して小さいため、エンジン回転数を変更することによる吐出流量の調整を容易に行うことができる。よって、通常モードでは、油圧シリンダ２への供給流量を精度良く調整することができる。
【００９５】
また、上記実施形態では、補助圧Ｐｏは、抵抗器６５の上流圧Ｐ３に抗するように作用して、抵抗器６５の前後差圧（Ｐ３−Ｐ４）を見掛け上小さくするように作用するものである。これに対し、補助圧Ｐоは、抵抗器６５の下流圧Ｐ４に抗するように作用して、言い換えれば、上流圧Ｐ３を補うように作用して、前後差圧（Ｐ３−Ｐ４）を見掛け上大きくするように作用させてもよい。この場合であっても、補助圧Ｐｏの供給と遮断とを切換弁８０によって切り換えることにより、レギュレータ６０によって調整される制御圧Ｐｃｇを変化させて、同一負荷であっても第１ポンプ１０の吐出流量を変化させることができる。
【００９６】
また、切換弁８０のポジションを切り換えると共にエンジン４の回転数を変更する場合には、上記変形例のようにエンジン４の回転数を低下させると共に抵抗器６５の上流圧Ｐ３に抗する補助圧Ｐｏの供給を遮断する構成に限らず、その他の構成としてもよい。具体的には、作業者の操作入力に基づいて、エンジン４の回転数を上昇させるか低下させるか、補助圧Ｐｏが抵抗器６５の上流圧Ｐ３に抗するものであるか下流圧Ｐ４に抗するものであるか、及びエンジン４の回転数の変化（上昇または低下）時に補助圧Ｐｏを供給するか遮断するか、は、任意の組み合わせとすることができる。例えば、ポンプ装置１００は、エンジン４の回転数低下時に、抵抗器６５の下流圧Ｐ４に抗する補助圧Ｐｏを供給するように構成してもよい。この場合には、上記の省エネモードと同等の作用効果を生じる。このように、エンジン４の回転数変化、補助圧Ｐоの切り換え、補助圧Ｐｏの作用方向は、ニーズに合わせて任意の構成とすることができる。
【００９７】
また、上記実施形態では、抵抗器６５は、固定絞り６６と並列に設けられるリリーフ弁６７を有する。これに限らず、リリーフ弁６７は、設けられなくてもよい。また、ポンプ装置１００の外部にリリーフ弁６７が設けられるものでもよい。
【００９８】
また、上記実施形態では、切換弁８０は、補助通路８３の連通と遮断を選択的に切り換えるＯＮ−ＯＦＦ弁である。これに対し、切換弁８０は、ソレノイド８２への通電量に応じた連通開度（連通流路面積）で補助通路８３を開口し、制御アクチュエータ７０に導かれる補助圧Ｐｏの大きさを制御する電磁比例弁であってもよい。この場合、例えば、コントローラ８５が、エンジン回転数を取得してエンジン回転数に応じた通電量で切換弁８０のソレノイド８２に通電してもよい。このようにポンプ装置１００を構成することにより、エンジン回転数の変化に対応させて油圧シリンダ２の速度を制御することができる。
【００９９】
以上の実施形態によれば、以下に示す効果を奏する。
【０１００】
ポンプ装置１００では、切換弁８０により補助通路８３の連通と遮断が切り換えられることにより、補助圧Ｐｏが制御アクチュエータ７０に導かれるか否かが切り換えられる。制御アクチュエータ７０への補助圧Ｐｏの供給と遮断が切り換えられることにより、制御アクチュエータ７０の伸縮位置が変化して、制御アクチュエータ７０によるレギュレータ６０の駆動量が変化する。これにより、レギュレータ６０によって調整される制御圧Ｐｃｇが変化する。このように、切換弁８０を切り換えることにより、作業負荷に関わらず制御圧Ｐｃｇを変化させて、傾転アクチュエータ１５による第１ポンプ１０の傾転角度の制御量を変化させることができる。したがって、負荷制御されるポンプ装置１００において、作業負荷によらず吐出流量が変更して、ニーズに合わせた油圧シリンダ２の駆動速度を実現することができる。
【０１０１】
また、ポンプ装置１００では、作業者の操作入力に応じて、エンジン回転数を比較的高回転に維持する通常モードと、エンジン回転数を比較的低回転に維持する省エネモードとが切り換えられる。省エネモードでは、補助通路８３が遮断されるため、制御アクチュエータ７０によって第１ポンプ１０の斜板１１の傾転角度は大きくなるように駆動される。よって、省エネモードでは、通常モードよりも低いポンプ回転数にもかかわらず通常モードと同じ吐出流量（供給流量）を確保することができ、通常モードと同等の駆動速度を実現できる。したがって、ポンプ装置１００の消費エネルギーを抑制することができる。
【０１０２】
以下、本発明の実施形態の構成、作用、及び効果をまとめて説明する。
【０１０３】
駆動対象を駆動する油圧シリンダ２に制御弁３を通じて作動油を供給するポンプ装置１００は、油圧シリンダ２に作動油を供給し斜板１１の傾転角度に応じて吐出容量が変化する可変容量型の第１ポンプ１０と、供給される制御圧Ｐｃｇに応じて第１ポンプ１０における斜板１１の傾転角度を制御する傾転アクチュエータ１５と、制御圧Ｐｃｇを制御弁３の前後差圧（ＬＳ差圧）に応じて調整するレギュレータ６０と、第１ポンプ１０と共通の駆動源（エンジン４）によって駆動される定容量型の第２ポンプ１６と、第２ポンプ１６から吐出される作動油が導かれるポンプ通路２４に設けられる抵抗器６５と、抵抗器６５の前後差圧（Ｐ３−Ｐ４）に応じて作動し抵抗器６５の前後差圧（Ｐ３−Ｐ４）の上昇に応じて制御圧Ｐｃｇを低下させるようにレギュレータ６０を駆動する制御アクチュエータ７０と、抵抗器６５の上流圧Ｐ３及び下流圧Ｐ４の一方に抗するように制御アクチュエータ７０に作用する補助圧Ｐｏを制御アクチュエータ７０へ導く補助通路８３と、補助通路８３を通じた制御アクチュエータ７０への補助圧Ｐｏの供給と遮断とを切り換える切換弁８０と、を備える。
【０１０４】
この構成では、切換弁８０によって補助通路８３の連通と遮断が切り換えられることにより、補助圧Ｐｏが制御アクチュエータ７０に導かれるか否かが切り換えられる。制御アクチュエータ７０への補助圧Ｐｏの供給と遮断が切り換えられることにより、制御アクチュエータ７０の移動量が変化して、制御アクチュエータ７０によるレギュレータ６０の駆動量が変化する。これにより、レギュレータ６０によって調整される制御圧Ｐｃｇが変化する。このように、切換弁８０を切り換えることにより、作業負荷に関わらず制御圧Ｐｃｇを変化させて、傾転アクチュエータ１５による第１ポンプ１０の傾転角度の制御量を変化させることができる。したがって、負荷制御されるポンプ装置１００において、作業負荷によらず吐出流量が変更される。
【０１０５】
また、ポンプ装置１００は、傾転アクチュエータ１５に供給される制御圧Ｐｃｇを第１ポンプ１０の吐出圧Ｐ１に応じて変化させる馬力制御レギュレータ４０をさらに備え、レギュレータ６０は、馬力制御レギュレータ４０によって調整される制御元圧Ｐｃに応じて、傾転アクチュエータ１５に供給される制御圧Ｐｃｇを調整する。
【０１０６】
この構成では、馬力制御レギュレータ４０は、第１ポンプ１０の吐出圧Ｐ１が変化すると、レギュレータ６０に導かれる制御元圧Ｐｃを調整することでレギュレータ６０が調整する制御圧Ｐｃｇを変化させる。よって、ポンプ回転数に関わらず、第１ポンプ１０の負荷（仕事率）を、所定の範囲内となるように調整することができる。
【０１０７】
また、ポンプ装置１００は、作業者の操作入力に応じて、切換弁８０を切り換えると共に駆動源（エンジン４）の回転数を変更可能なコントローラ８５をさらに備える。
【０１０８】
この構成によれば、作業者の所望のタイミングで切換弁８０が切り換えられるため、作業者のニーズに合わせて第１ポンプ１０の吐出容量を変更することができる。
【０１０９】
また、ポンプ装置１００では、コントローラ８５は、作業者の操作入力に応じて、補助通路８３を遮断するように切換弁８０と切り換えると共に駆動源（エンジン４）の回転数を低下させ、第１ポンプ１０の吐出容量を増加させる。
【０１１０】
この構成では、駆動源（エンジン４）の回転数の低下と共に第１ポンプ１０の吐出容量が増加するため、第１ポンプ１０の吐出流量（油圧シリンダ２への供給流量）を低下させずに維持させることができる。したがって、駆動源（エンジン４）の回転数が低下しても、油圧シリンダ２の駆動速度の低下を防止して、第１ポンプ１０の消費エネルギーを抑制することができる。
【０１１１】
また、ポンプ装置１００では、抵抗器６５は、第２ポンプ１６から吐出される作動油の流れに抵抗を付与する固定絞り６６と、固定絞り６６と並列に設けられ、抵抗器６５の上流圧Ｐ３が所定値を超えると開弁するリリーフ弁６７と、を有する。
【０１１２】
この構成では、ポンプ回転数の上昇に伴い、上流圧Ｐ３がリリーフ弁６７のリリーフ圧以上となると、リリーフ弁６７が開弁する。これにより、第２ポンプ１６から吐出される作動油が固定絞り６６とリリーフ弁６７との両方を通過し、抵抗器６５の流路面積が拡大するため、ポンプ回転数の上昇に対して抵抗器６５の前後差圧（Ｐ３−Ｐ４）が変化する割合が小さくなる。このように、抵抗器６５がリリーフ弁６７を有することにより、ポンプ回転数に対する第１ポンプ１０の吐出流量が増加する割合を変更することができる。
【０１１３】
以上、本発明の実施形態について説明したが、上記実施形態は本発明の適用例の一部を示したのに過ぎず、本発明の技術的範囲を上記実施形態の具体的構成に限定する趣旨ではない。
【符号の説明】
【０１１４】
２…油圧シリンダ（駆動アクチュエータ）、３…制御弁、４…エンジン（駆動源）、１０…第１ポンプ、１１…斜板、１５…傾転アクチュエータ、１６…第２ポンプ、４０…馬力制御レギュレータ、６０…レギュレータ、６５…抵抗器、６６…固定絞り、６７…リリーフ弁、７０…制御アクチュエータ、８０…切換弁、８３…補助通路、８５…コントローラ、１００…ポンプ装置
【図１】
0006761283.tif 000002
【図２】
0006761283.tif 000003